(57)【要約】【課題】この発明は、コンクリート型枠支保工において大量に使用されるパイプサポートの運搬業務と保管業務における損壊事故の解消と業務の能率と安全の向上を目的になされたものである。【解決手段】パイプサポート本体にホールドする全体ホールド部と、パイプサポートのハンドルをホールドするハンドルホールド部と、サポート用支持ピンをホールドする支持ピンホールド部からなるパイプサポート用ハンドル・支持ピンホルダー。【選択図】図１
2018204370.tif 000002
【特許請求の範囲】
【請求項１】
パイプサポート本体にホールドする全体ホールド部と、パイプサポートのハンドルをホールドするハンドルホールド部と、サポート用支持ピンをホールドする支持ピンホールド部からなるパイプサポート用ハンドル・支持ピンホルダー。
【請求項２】
パイプサポート用ハンドル・支持ピンホルダーは、金型に合成樹脂材が射出されて成型され、所定の剛性と弾性を持つ成形体から設けられてなる請求項１のパイプサポート用ハンドル・支持ピンホルダー。
【請求項３】
コンクリート建造物の建設工事に構築されるコンクリート型枠を支えるパイプサポート本体のネジ部の外周に嵌着して全体を所定位置にホールドする全体ホールド部と、パイプサポート本体のネジ部に螺合されて、該ネジ部の回りに回転してパイプサポートの全長を調整する調整台座のハンドルを保持するハンドルホールド部と、前記パイプサポート本体に差し込まれて接続される差込みパイプに横断すると共に、所定の上下間隔で開設された支持孔の一つに嵌合して、その差込みパイプとパイプサポート本体とからなるパイプサポートの支持高を選択する支持ピンをホールドする支持ピンホールド部が配備されてなるパイプサポート用ハンドル・支持ピンホルダー。
【請求項４】
パイプサポート用ハンドル・支持ピンホルダーにおける全体ホールド部は、帯状板が円筒形に湾曲されて左側面ホールド部と右側壁部とから設けられるとともに、左側壁部の左先端部と右側壁部の右先端部は左右に離隔して本体出入口が具備されてなる請求項３のパイプサポート用ハンドル・支持ピンホルダー。
【請求項５】
前記全体ホールド部の基端壁部の背外面に、調整台座のハンドルと対応する位置と適合する外形の帯状板が円筒形に湾曲され、該帯状板の左右の先端が離隔してハンドル出入口が具備されてなる挟持型ハンドルホールド部が設けられてなる請求項３又は請求項４のパイプサポート用ハンドル・支持ピンホルダー。
【請求項６】
前記全体ホールド部の基端壁部の背外面に、パイプサポート本体に接続索により保持される支持ピンと適合する外形の帯状板が円筒形に湾曲され、該帯状板の左右の先端が離隔して支持ピン出入口が具備されてなる挟持型の支持ピンホールド部が設けられてなる請求項３又は請求項４のパイプサポート用ハンドル・支持ピンホルダー。
【発明の詳細な説明】
【技術分野】
【０００１】
この発明は、コンクリート型枠支保工において、大量に使用されるパイプサポートに装着し、パイプサポートに配備される調節台座のハンドルと支持ピンを所定保持するパイプサポート用ハンドル・支持ピンホルダーに関するものである。
【背景技術】
【０００２】
特許文献１には、下端部に台板を有し、上部に調節ねじを有する腰管に、上端部に受け板を有する差込み管を、上下動可能で所望高さにおいて止定可能に嵌着したパイプサポートにおいて、受け板直下の差込み管上端部を半径方向外側に拡開したことを特徴とするパイプサポートが提案されている。
【０００３】
特許文献２には、コンクリート構造物における鉄骨階段３の構築現場において、現場に搬入した鉄骨階段３を所定の位置にセットしてその鉄骨階段３の下部を、既設の鉄骨階段の上部に固定し、セットした鉄骨階段３の上部の踊り場を、鉄骨階段支持用のパイプサポートを鉄骨階段３の階段部分の昇降方向に直交する方向に向けて配置するとともに、パイプサポート１の上下長さを調節して支持金物を上部の踊り場の下部に突設されたリブに係合させて、鉄骨階段支持用のパイプサポート１で支持させ、セットした鉄骨階段３の上部の踊り場３ａとコンクリート構造物との取合い部とで固定し、鉄骨階段支持用のパイプサポート１をその上下長さを縮めて、セットした鉄骨階段３の上部の踊り場の下での支持状態から撤去する鉄骨階段３の仮止固定方法が提案されている。
【０００４】
前記のように、パイプサポートは、コンクリート型枠支保工において、大量に使用されるものであり、その保管時、運搬時に、パイプサポー本体に配備される調節台座のハンドルと支持ピンは、結束線（針金）を用いて固定されるものであるが、その結束に手間がかかった。また、その結束線の先端が眼に刺さる事故が発生することがあった。また、調節台座のハンドルと支持ピンの固定には、ゴムバンドが使用されることがあった。ゴムバンドは太陽光による劣化が激しく、フォークリフトの作業中に切断するものであった。また、トラックに積み込んだ際に、荷台にハンドルが接触して立て置きされ、これが原因で突然に倒れることがあった。このように、調節台座のハンドルと支持ピンが原因となって保管業務や運搬業務の障害になっていた。
【先行技術文献】
【特許文献】
【０００５】
【特許文献１】実開平３−１１７１１０号公報
【特許文献２】特開２０１３−１２９９６１号公報
【発明の開示】
【発明が解決しようとする課題】
【０００６】
この発明は、前記コンクリート型枠支保工において大量に使用されるパイプサポートの運搬業務と保管業務における損壊事故の解消と業務の能率と安全の向上を目的になされたものである。
【課題を解決するための手段】
【０００７】
パイプサポート本体に保持する全体ホールド部と、パイプサポートのハンドルを保持するハンドルホールド部と、サポート用支持ピンを保持する支持ピンホールド部からなるパイプサポート用ハンドル・支持ピンホルダーにある。
【０００８】
パイプサポート用ハンドル・支持ピンホルダーは、金型に合成樹脂材が射出されて成型され、所定の剛性と弾性を持つ成形体から設けられてなるものとしてもよいものである。
【０００９】
コンクリート建造物の建設工事に構築されるコンクリート型枠を支えるパイプサポート本体のネジ部の外周又はネジ部の近傍の外周に嵌着して全体を所定位置に保持する全体ホールド部と、パイプサポート本体のネジ部に螺合されて、該ネジ部の回りに回転してパイプサポートの全長を調整する調整台座のハンドルを保持するハンドルホールド部と、前記パイプサポート本体に差し込まれて接続される差込みパイプに横断すると共に、所定の上下間隔で開設された支持孔の一つに嵌合して、その差込みパイプとパイプサポート本体とからなるパイプサポートの支持高を選択・調整する支持ピンを保持する支持ピンホールド部が配備されてなるパイプサポート用ハンドル・支持ピンホルダーなるものとしてもよいものである。
【００１０】
パイプサポート用ハンドル・支持ピンホルダーにおける全体ホールド部は、帯状板が円筒形に湾曲されて左側壁部と右側壁部とから設けられるとともに、左側壁部の左先端部と右側壁部の右先端部は左右に離隔して出入口が具備されてなるものとしてもよいものである。
【００１１】
前記全体ホールド部の基端壁部の背外面に、調整台座のハンドルと対応する位置と適合する外形の帯状板が円筒形に湾曲され、該帯状板の左右の先端が離隔してハンドルの出入口が具備されてなる挟持型ハンドルホールド部が設けられてなるものとしてもよいものである。
【００１２】
前記全体ホールド部の基端壁部の背外面に、パイプサポート本体に接続索により保持される支持ピンと適合する外形の帯状板が円筒形に湾曲され、該帯状板の左右の先端が離隔して支持ピンの出入口が具備されてなる挟持型の支持ピンホールド部が設けられてなるものとしてもよいものである。
【発明の効果】
【００１３】
第１に、パイプサポートのハンドルと支持ピンのバタツキ防止が図れる。
第２に、パイプサポートのハンドルと支持ピンの破損の防止が図れる。
第３に、結束線を使用しないので、固定作業の安全と運搬作業の安全とが図れる。
第４に、パイプサポートに有利な保護環境を提供できる。
第５に、パイプサポートに安全性と耐久性の向上が図れる。
【００１４】
この発明のパイプサポート用ハンドル・支持ピンホルダーは、コクリート建造物の建築現場で使用されるパイプサポートに配備されるハンドルと支持ピンの保持と整理・整頓に多大の効果をもたらすものである。
【図面の簡単な説明】
【００１５】
【図１】この発明の実施例のパイプサポート用ハンドル・支持ピンホルダーの平面図である。
【図２】同じく、パイプサポート用ハンドル・支持ピンホルダーの正面図である。
【図３】同じく、パイプサポート用ハンドル・支持ピンホルダーの背面図である。
【図４】同じく、パイプサポート用ハンドル・支持ピンホルダーの左側面図である。
【図５】パイプサポート用ハンドル・支持ピンホルダーの右側面図である。
【図６】同じく、パイプサポート用ハンドル・支持ピンホルダーの正面図のＡ−Ａ線断面図である。
【図７】この発明の実施例のパイプサポート用ハンドル・支持ピンホルダーをパイプサポート本体に装備させた使用状態の側面図である。
【発明を実施するための形態】
【００１６】
この発明のパイプサポート用ハンドル・支持ピンホルダーは、パイプサポート本体に保持する全体ホールド部と、パイプサポートのハンドルを保持するハンドルホールド部と、サポート用支持ピンを保持する支持ピンホールド部を備え、合成樹脂材が金型に射出されて成型され、所定の剛性と弾性を持つ成形体から設けられる。
【実施例】
【００１７】
以下、この発明のパイプサポート用ハンドル・支持ピンホルダーを実施の一例として示す図面により説明すると、この発明のパイプサポート用ハンドル・支持ピンホルダー１は、図１〜図６に示すように、合成樹脂材が金型に射出されて成型され、所定の剛性と弾性を持つ成形体から設けられる。
【００１８】
前記パイプサポート用ハンドル・支持ピンホルダー１は、コンクリート建造物の建設工事に構築されるコンクリート型枠を支えるパイプサポート２（パイプサポート本体２ａと差込みパイプ２ｂとから構成される。）に装嵌配備される。
【００１９】
前記パイプサポート用ハンドル・支持ピンホルダー１は、詳しくは、パイプサポート２のパイプサポート本体２ａの上端部において、所要長に渡って形成されたネジ部３の外周又はネジ部３の近傍の外周に嵌着して全体を所定位置に保持する全体ホールド部１ａと、パイプサポート本体２のネジ部３に螺合されて、該ネジ部３の回りに回転してパイプサポート２の全長を調整する調節台座４のハンドル５を保持するハンドルホールド部１ｂ１と、前記パイプサポート本体２に差し込まれて接続される差込みパイプ２ｂの上下に所要の間隔をもって横断方向に開孔された長さ調節用の支持孔６の一つに嵌合し、かつ、調節台座４の支承部７に支持される支持ピン８を保持する支持ピンホールド部１ｂ２が配備される。
【００２０】
この発明のパイプサポート用ハンドル・支持ピンホルダー１における全体ホールド部１ａは、帯状板が円筒形に湾曲され、左側壁部１ａ１と右側壁部１ａ２に形成されるとともに、左側壁部１ａ１の左先端部１ａ１１と右側壁部１ａ２の右先端部１ａ２１が離隔してパイプサポート本体２の本体出入口９に設けられ、該本体出入口９にパイプサポート本体２のネジ部３に押し当て左側壁部１ａ１と右側壁部１ａ２とを外側に湾曲して嵌合することかでき、嵌合後は左側壁部１ａ１と右側壁部１ａ２の復帰弾力による挟持力が作用してパイプサポート用ハンドル・支持ピンホルダー１をパイプサポート本体２ａに定置させるものである。
【００２１】
この発明のパイプサポート用ハンドル・支持ピンホルダー１のハンドルホールド部１ｂ１は、前記全体ホールド部１ａの基端壁部１ａ３の背外面１ａ３１に、全体ホールド部１ａと、同様に、帯状板が円筒形に湾曲されて左側面部１ｂ１１と右側面部１ｂ１２に形成されるとともに、左側面部１ｂ１１の左先端部１ｂ１１１と右側壁部１ｂ１２の右先端部１ｂ１２１が離隔するハンドル出入口１０が設けられ、該ハンドル出入口１０から左側面部１ｂ１１と右側面部１ｂ１２との内面間に調節台座４のハンドル５が嵌合されて左側面部１ｂ１１と右側面部１ｂ１２の復帰弾力により調節台座４のハンドル５がパイプサポート用ハンドル・支持ピンホルダー１のハンドルホールド部１ｂ１に定置されるものである。
【００２２】
この発明のパイプサポート用ハンドル・支持ピンホルダー１の支持ピンホールド部１ｂ２は、支持ピン８がチエーン等の接続索１２によりパイプサポート本体２ａに連結されているから、前記全体ホールド部１ａの基端壁部１ａ３の背外面１ａ３１に、全体ホールド部１ａと、同様に、余裕をもって帯状板が円筒形に湾曲されて、左側面部１ｂ２１と右側面部１ｂ２２が接続形成されるとともに該左側面部１ｂ２１の左先端部１ｂ２１１と右側面部１ｂ２２の右先端部１ｂ２２１が離隔する支持ピン出入口１１が設けられ、該支持ピン出入口１１から左側面部１ｂ２１と右側面部１ｂ２２との内面間に嵌入された支持ピン８が左側面部１ｂ２１と右側面部１ｂ２２の復帰弾力により挟持されてパイプサポート用ハンドル・支持ピンホルダー１の支持ピンホールド部１ｂ２に定置されるものである。
【００２３】
パイプサポート２は、コンクリート建造物の建設現場で役目が終わった後、パイプサポート本体２ａと差込パイプサポート２ｂに分解されて次の現場又は保管場に運搬される。この運搬中は、前記パイプサポート本体２ａのハンドル５と支持ピン８は、開放されるためバタツキが生じて運搬作業の支障や、支持ピン８の破損が発生するものであった。
【００２４】
この発明のパイプサポート用ハンドル・支持ピンホルダーは、パイプサポート本体２ａに容易に装着して調整台座のハンドルと支持ピンを所定位置に保持することがきるものである。
【産業上の利用可能性】
【００２５】
この発明のパイプサポート用ハンドル・支持ピンホルダーは、優れたデザイン性と耐久性と低コスト性を備え、パイプサポートの解体中の障害を解消するものであり、快適・持続再利用の可能性を開くものである。
【符号の説明】
【００２６】
１  パイプサポート用ハンドル・支持ピンホルダー
１ａ  全体ホールド部
１ａ１  左側壁部
１ａ１１  左先端部
１ａ２  右側壁部
１ａ２１  右先端部
１ａ３  基端壁部
１ａ３１  背外面
１ｂ１  ハンドルホールド部
１ｂ１１  左側面部
１ｂ１１１  左先端部
１ｂ１２  右側面部
１ｂ１２１  右先端部
１ｂ２  支持ピンホールド部
１ｂ２１  左側面部
１ｂ２１１  左先端部
１ｂ２２  右側面部
１ｂ２２１  右先端部
２  パイプサポート
２ａ  パイプサポート本体
２ｂ  差込みパイプ
３  ネジ部
４  調節台座
５  ハンドル
６  支持孔
７  支承部
８  支持ピン
９  本体出入口
１０  ハンドル出入口
１１  支持ピン出入口
１２  接続索
【図１】
2018204370.tif 000003
【図２】
2018204370.tif 000004
【図３】
2018204370.tif 000005
【図４】
2018204370.tif 000006
【図５】
2018204370.tif 000007
【図６】
2018204370.tif 000008
【図７】
2018204370.tif 000009